(57)【特許請求の範囲】
【請求項１】
キャリアアグリゲーションに対応した第１の移動局および前記キャリアアグリゲーションに対応していない第２の移動局と通信可能な基地局であって、
前記第１の移動局および前記第２の移動局にマルチメディア放送および同報サービスにおけるコンテンツを送信する通信手段を備え、
前記通信手段は、
前記キャリアアグリゲーションに用いる、第１のコンポーネントキャリアと第２のコンポーネントキャリアとによって、前記第１の移動局と通信し、
前記第１のコンポーネントキャリアおよび前記第２のコンポーネントキャリアのうちの前記第１のコンポーネントキャリアのみによって、前記第２の移動局と通信し、
前記コンテンツは、第１の情報と、前記第１の情報に付随する第２の情報とを含み、
前記通信手段は、
前記第１のコンポーネントキャリアによって、前記第１の移動局および前記第２の移動局に前記第１の情報を送信し、
前記第２のコンポーネントキャリアによって、前記第１の移動局に前記第２の情報を送信する、基地局。
【請求項２】
前記通信手段は、前記マルチメディア放送および同報サービスが前記キャリアアグリゲーションに対応しているか否かを判断するための情報を、前記第１の移動局および前記第２の移動局に送信する、請求項１に記載の基地局。
【請求項３】
前記通信手段は、前記マルチメディア放送および同報サービスが前記キャリアアグリゲーションに対応しているか否かを判断するための情報を、前記第１のコンポーネントキャリアおよび前記第２のコンポーネントキャリアを用いて送信する、請求項２に記載の基地局。
【請求項４】
通信システムであって、
キャリアアグリゲーションに対応した第１の移動局と、
前記キャリアアグリゲーションに対応していない第２の移動局と、
前記第１の移動局および前記第２の移動局と通信可能な基地局とを備え、
前記基地局は、前記第１の移動局および前記第２の移動局にマルチメディア放送および同報サービスにおけるコンテンツを送信する通信手段を備え、
前記通信手段は、
前記キャリアアグリゲーションに用いる、第１のコンポーネントキャリアと第２のコンポーネントキャリアとによって、前記第１の移動局と通信し、
前記第１のコンポーネントキャリアおよび前記第２のコンポーネントキャリアのうちの前記第１のコンポーネントキャリアのみによって、前記第２の移動局と通信し、
前記コンテンツは、第１の情報と、前記第１の情報に付随する第２の情報とを含み、
前記通信手段は、
前記第１のコンポーネントキャリアによって、前記第１の移動局および前記第２の移動局に前記第１の情報を送信し、
前記第２のコンポーネントキャリアによって、前記第１の移動局に前記第２の情報を送信し、
前記第１の移動局は、
前記第１の情報と前記第２の情報とを受信し、
前記受信された第１の情報と第２の情報とに基づく画像をディスプレイに表示させ、
前記第２の移動局は、
前記第１の情報を受信し、
前記受信された第１の情報に基づく画像をディスプレイに表示させる、通信システム。
【請求項５】
キャリアアグリゲーションに対応した第１の移動局および前記キャリアアグリゲーションに対応していない第２の移動局と通信可能であって、かつ前記第１の移動局および前記第２の移動局にマルチメディア放送および同報サービスにおけるコンテンツを送信する基地局における通信制御方法であって、
前記キャリアアグリゲーションに用いる、第１のコンポーネントキャリアと第２のコンポーネントキャリアとによって、前記第１の移動局と通信するステップと、
前記第１のコンポーネントキャリアおよび前記第２のコンポーネントキャリアのうちの前記第１のコンポーネントキャリアのみによって、前記第２の移動局と通信するステップとを備え、
前記コンテンツは、第１の情報と、前記第１の情報に付随する第２の情報とを含み、
前記第１の移動局と通信するステップは、
前記第１のコンポーネントキャリアによって、前記第１の移動局に前記第１の情報を送信するステップと、
前記第２のコンポーネントキャリアによって、前記第１の移動局に前記第２の情報を送信するステップとを含み、
前記第２の移動局と通信するステップは、
前記第１のコンポーネントキャリアによって、前記第２の移動局に前記第１の情報を送信するステップを含む、通信制御方法。
【請求項６】
キャリアアグリゲーションに対応した第１の移動局および前記キャリアアグリゲーションに対応していない第２の移動局と通信可能であって、かつ前記第１の移動局および前記第２の移動局にマルチメディア放送および同報サービスにおけるコンテンツを送信する基地局を制御するプログラムであって、
前記キャリアアグリゲーションに用いる、第１のコンポーネントキャリアと第２のコンポーネントキャリアとによって、前記第１の移動局と通信するステップと、
前記第１のコンポーネントキャリアおよび前記第２のコンポーネントキャリアのうちの前記第１のコンポーネントキャリアのみによって、前記第２の移動局と通信するステップとを、前記基地局に実行させ、
前記コンテンツは、第１の情報と、前記第１の情報に付随する第２の情報とを含み、
前記第１の移動局と通信するステップは、
前記第１のコンポーネントキャリアによって、前記第１の移動局に前記第１の情報を送信するステップと、
前記第２のコンポーネントキャリアによって、前記第１の移動局に前記第２の情報を送信するステップとを含み、
前記第２の移動局と通信するステップは、
前記第１のコンポーネントキャリアによって、前記第２の移動局に前記第１の情報を送信するステップを含む、プログラム。
【発明の詳細な説明】
【技術分野】
【０００１】
本発明は、移動局、基地局、通信システム、表示制御方法、通信制御方法、およびプログラムに関し、特に、キャリアアグリゲーションを行なう移動局および基地局、移動局および基地局を備える通信システム、移動局における表示制御方法、基地局における通信制御方法、および移動局を制御するためのプログラム、および基地局を制御するためのプログラムに関する。
【背景技術】
【０００２】
３ＧＰＰ（3rd Generation Partnership Project）では、ＬＴＥ（Long Term Evolution）通信方式について、モバイル・パケットネットワークを用いたマルチメディア放送および同報サービス（ＭＢＭＳ：Multimedia Broadcast / Multicast Service）が規格化されている。
【０００３】
ＭＢＭＳでは、ＭＢＭＳ以外のサービスととも用いられる周波数帯を利用するユニキャスト／ＭＢＭＳ混合セル（Unicast / MBMS Mixed Cell）およびＭＢＭＳ専用の周波数帯を利用するＭＢＭＳ個別セル（MBMS Dedicated Cell）のうち、少なくとも一方のセルを利用することができる。
【０００４】
ユニキャスト／ＭＢＭＳ混合セルの場合、特許文献１に示されているように、ＭＢＭＳ用のサブフレーム（Multicast CH（MCH）サブフレーム）とユニキャスト用のサブフレームとが時分割多重（ＴＤＭ：Time Division Multiplexing）されることで、ＭＢＭＳの伝送が行われる。
【０００５】
また、３ＧＰＰでは、ＬＴＥ−Ａ（Long Term Evolution-Advanced）の仕様検討が行われている。ＬＴＥ−Ａでは、ＬＴＥよりも高速の通信を実現することが要求されている。このため、ＬＴＥ−Ａでは、ＬＴＥよりも広帯域（ＬＴＥの２０ＭＨｚの帯域を越える１００ＭＨｚまでの帯域）をサポートすることが求められている。しかしながら、世界的に連続した広帯域の周波数領域をＬＴＥ−Ａ用として確保することは難しい。
【０００６】
それゆえ、ＬＴＥ−Ａでは、ＬＴＥとの互換性を可能な限り維持する目的から、キャリアアグリゲーション（ＣＡ：Career Aggregation）技術が検討されている。キャリアアグリゲーション技術は、コンポーネントキャリア（ＣＣ：Component Career）と呼ばれる帯域幅が２０ＭＨｚまでの周波数帯域を複数まとめて通信を行うことにより最大１００ＭＨｚの帯域幅を確保し、これにより高速かつ大容量の通信を実現させる技術である。非特許文献1には、上記キャリアアグリゲーションが開示されている。
【先行技術文献】
【特許文献】
【０００７】
【特許文献１】特開２００７−３００５０３号公報
【非特許文献】
【０００８】
【非特許文献１】3GPP TR 36.814 V9.0.0 (2010-03), Technical Report, 3rd Generation Partnership Project; Technical Specification Group Radio Access Network; Evolved Universal Terrestrial Radio Access (E-UTRA); Further advancements for E-UTRA physical layer aspects (Release 9)
【発明の概要】
【発明が解決しようとする課題】
【０００９】
ＬＴＥ−Ａ方式に対応した移動局は、ユニキャスト通信に関しては、キャリアアグリゲーション技術を用いることによって、基地局との間で高速かつ大容量のデータ通信が実現可能である。しかしながら、ＭＢＭＳにキャリアアグリゲーション技術を適用することについては検討されていない。
【００１０】
本発明は、上記の問題点に鑑みなされたものであって、その目的は、キャリアアグリゲーション中にもＭＢＭＳを適用可能な移動局、基地局、通信システム、表示制御方法、通信制御方法、およびプログラムを提供することにある。
【課題を解決するための手段】
【００１１】
本発明のある局面に従うと、移動局は、互いに周波数帯域が異なる複数のコンポーネントキャリアを用いたキャリアアグリゲーションによって、基地局と通信する。移動局は、複数のコンポーネントキャリアのうち少なくとも２つのコンポーネントキャリアを用いて、基地局からマルチメディア放送および同報サービスにおけるコンテンツを受信する受信手段と、受信されたコンテンツをディスプレイに表示させる表示制御手段とを備える。
【００１２】
好ましくは、コンテンツは、第１の情報と、第１の情報に付随する第２の情報とを含む。受信手段は、第１の情報を、複数のコンポーネントキャリアのうちの第１のコンポーネントキャリアを用いて受信する第１の受信手段と、第２の情報を、複数のコンポーネントキャリアのうちの第２のコンポーネントキャリアを用いて受信する第２の受信手段とを含む。表示制御手段は、第１の情報と第２の情報とを用いて、コンテンツをディスプレイに表示させる。
【００１３】
好ましくは、第２のコンポーネントキャリアは、第１のコンポーネントキャリアに同期している。第１の受信手段は、第１のコンポーネントキャリアにおいて、基地局からの同期信号をさらに受信する。移動局は、同期信号に基づいて、第１のコンポーネントキャリアおよび第２のコンポーネントキャリアと同期する。
【００１４】
好ましくは、第１の受信手段は、複数のマルチメディア放送および同報サービスの各々におけるコンテンツを互いに識別するための複数の識別情報をさらに受信する。移動局は、複数の識別情報のいずれかを選択する指令を受け付けたことに基づき、当該選択された識別情報に対応するコンテンツの送信を基地局に要求する。
【００１５】
好ましくは、第１の受信手段は、第１のコンポーネントキャリアにおいて、基地局からの第１の同期信号をさらに受信する。第２の受信手段は、第２のコンポーネントキャリアにおいて、基地局からの第２の同期信号をさらに受信する。移動局は、第１の同期信号に基づいて第１のコンポーネントキャリアと同期し、第２の同期信号に基づいて第２のコンポーネントキャリアと同期する。
【００１６】
好ましくは、コンテンツは、暗号化されている。移動局は、コンテンツの送信を要求する要求信号を、基地局に送信する送信手段と、コンテンツの暗号化を解除する解除手段とをさらに備える。第１の受信手段は、要求信号の送信に基づいて基地局から送信される解除キーをさらに受信する。解除手段は、解除キーを用いてコンテンツの暗号化を解除する。
【００１７】
好ましくは、解除キーは、第１の情報の暗号化を解除するための第１の解除キーと、第２の情報の暗号化を解除するための第２の解除キーとを含む。第１の受信手段は、第１のコンポーネントキャリアを用いて第１の解除キーを受信する。第２の受信手段は、第２のコンポーネントキャリアを用いて第２の解除キーを受信する。解除手段は、第１の解除キーを用いて第１の情報の暗号化を解除し、第２の解除キーを用いて第２の情報の暗号化を解除する。
【００１８】
好ましくは、第２の受信手段は、第２のコンポーネントキャリアと、複数のコンポーネントキャリアのうちの、第１のコンポーネントキャリアおよび第２のコンポーネントキャリアを除く少なくとも１つのコンポーネントキャリアとを用いて、第２の情報を受信する。
【００１９】
本発明の他の局面に従うと、基地局は、互いに周波数帯域が異なる複数のコンポーネントキャリアを用いたキャリアアグリゲーションによって、移動局と通信する。基地局は、移動局から、マルチメディア放送および同報サービスにおけるコンテンツの受信要求を受信する受信手段と、コンテンツを、複数のコンポーネントキャリアのうち少なくとも２つのコンポーネントキャリアを用いて、移動局に送信する送信手段とを備える。
【００２０】
好ましくは、コンテンツは、第１の情報と、第１の情報に付随する第２の情報とを含む。送信手段は、第１の情報を、複数のコンポーネントキャリアのうちの第１のコンポーネントキャリアを用いて送信する第１の送信手段と、第２の情報を、複数のコンポーネントキャリアのうちの第２のコンポーネントキャリアを用いて送信する第２の送信手段とを含む。
【００２１】
本発明のさらに他の局面に従うと、通信システムは、互いに周波数帯域が異なる複数のコンポーネントキャリアを用いたキャリアアグリゲーションによって、互いに通信を行なう基地局と移動局とを備える。基地局は、複数のコンポーネントキャリアのうち少なくとも２つのコンポーネントキャリアを用いて、マルチメディア放送および同報サービスにおけるコンテンツを移動局に送信する。移動局は、コンテンツを、少なくとも２つのコンポーネントキャリアを用いて受信し、受信したコンテンツをディスプレイに表示させる。
【００２２】
本発明のさらに他の局面に従うと、表示制御方法は、互いに周波数帯域が異なる複数のコンポーネントキャリアを用いたキャリアアグリゲーションによって、基地局と通信する移動局における表示制御方法である。表示制御方法は、移動局が、複数のコンポーネントキャリアのうち少なくとも２つのコンポーネントキャリアを用いて、基地局からマルチメディア放送および同報サービスにおけるコンテンツを受信するステップと、移動局が、受信されたコンテンツをディスプレイに表示させるステップとを備える。
【００２３】
本発明のさらに他の局面に従うと、通信制御方法は、互いに周波数帯域が異なる複数のコンポーネントキャリアを用いたキャリアアグリゲーションによって、移動局と通信する基地局における通信制御方法である。通信制御方法は、基地局が、移動局から、マルチメディア放送および同報サービスにおけるコンテンツの受信要求を受信するステップと、基地局が、コンテンツを、複数のコンポーネントキャリアのうち少なくとも２つのコンポーネントキャリアを用いて、移動局に送信するステップとを備える。
【００２４】
本発明のさらに他の局面に従うと、プログラムは、互いに周波数帯域が異なる複数のコンポーネントキャリアを用いたキャリアアグリゲーションによって、基地局と通信する移動局を制御するためのプログラムである。プログラムは、複数のコンポーネントキャリアのうち少なくとも２つのコンポーネントキャリアを用いて、基地局からマルチメディア放送および同報サービスにおけるコンテンツを受信するステップと、受信されたコンテンツをディスプレイに表示させるステップとを、移動局に実行させる。
【００２５】
本発明のさらに他の局面に従うと、プログラムは、互いに周波数帯域が異なる複数のコンポーネントキャリアを用いたキャリアアグリゲーションによって、移動局と通信する基地局を制御するためのプログラムである。プログラムは、移動局から、マルチメディア放送および同報サービスにおけるコンテンツの受信要求を受信するステップと、コンテンツを、複数のコンポーネントキャリアのうち少なくとも２つのコンポーネントキャリアを用いて、移動局に送信するステップとを、基地局に実行させる。
【発明の効果】
【００２６】
本発明によれば、キャリアアグリゲーション中にもＭＢＭＳを適用可能となる。
【図面の簡単な説明】
【００２７】
【図１】通信システムの概略構成図である。
【図２】基地局の典型的なハードウェア構成を表した図である。
【図３】基地局におけるダウンリンクのコンポーネントキャリアの送信フォーマットを示した図である。
【図４】移動局の典型的なハードウェア構成を表した図である。
【図５】移動局の機能的構成を説明するための機能ブロック図である。
【図６】通信システムにおけるシーケンスチャートである。
【図７】通信システムにおける他のシーケンスチャートである。
【図８】通信システムにおけるさらに他のシーケンスチャートである。
【発明を実施するための形態】
【００２８】
以下、図面を参照しつつ、本発明の各実施の形態に係る電子機器について説明する。以下の説明では、同一の部品には同一の符号を付してある。それらの名称および機能も同じである。したがって、それらについての詳細な説明は繰り返さない。
【００２９】
［実施の形態１］
＜Ａ．システム構成＞
図１は、本実施の形態に係る通信システム１の概略構成図である。図１を参照して、通信システム１は、複数の基地局１００、１００ａと、移動局３００と、ストリーミングサーバ装置４００とを備える。なお、図１においては、複数の基地局の一部として、２つの基地局１００，１００ａを図示している。また、説明の便宜上、移動局として、１つの移動局３００のみを図示している。
【００３０】
基地局１００と基地局１００ａとは、ネットワーク５００によって接続されている。また、各基地局１００，１００ａは、ネットワーク５００によってストリーミングサーバ装置４００と通信可能に接続されている。
【００３１】
各基地局１００，１００ａは、複数のダウンリンク（ＤＬ）のコンポーネントキャリアを有している。各基地局１００，１００ａは、コンポーネントキャリア毎にセルを構成する。以下では、説明の便宜上、各基地局１００，１００ａが、２つのコンポーネントキャリアを有する場合を例に挙げて説明する。
【００３２】
基地局１００は、１つ目のコンポーネントキャリアによって、実線で示したセル９１０を構成する。また、基地局１００は、２つ目のコンポーネントキャリアによって、点線で示したセル９２０を構成する。一方、基地局１００ａは、１つ目のコンポーネントキャリアによって、実線で示したセル９１０ａを構成する。また、基地局１００ａは、２つ目のコンポーネントキャリアによって、点線で示したセル９２０ａを構成する。当該４つのセル９１０，９２０，９１０ａ，９２０ａは、ユニキャスト／ＭＢＭＳ混合セルである。なお、「ＭＢＭＳ」は、上述したように、マルチメディア放送および同報サービス（Multimedia Broadcast / Multicast Service）を表す。
【００３３】
ストリーミングサーバ装置４００は、ＭＢＭＳ用のデータを基地局１００，１００ａに配信する。
【００３４】
移動局３００は、基地局１００が構成するセル９１０，９２０に在圏している。つまり、移動局３００は、ユニキャスト／ＭＢＭＳ混合セルに在圏している。移動局３００は、音声や画像等のＭＢＭＳを利用可能である。
【００３５】
＜Ｂ．基地局のハードウェア構成＞
図２は、基地局１００の典型的なハードウェア構成を表した図である。図２を参照して、基地局１００は、アンテナ１１００と、アンテナ１２００と、無線処理部１３００と、制御・ベースバンド部１４００とを備える。
【００３６】
無線処理部１３００は、デュプレクサ１３０１，１３０２と、パワーアンプ１３０３，１３０４と、ローノイズアンプ１３０５，１３０６と、送信回路１３０７，１３０８と、受信回路１３０９，１３１０と、直交変復調部１３１１とを備える。制御・ベースバンド部１４００は、ベースバンド回路１４１０と、制御装置１４２０と、電源部１４５０と、タイミング制御部１４３０と、通信インターフェイス１４４０とを備える。制御装置１４２０は、ＣＰＵ１４２１と、ＲＯＭ１４２２と、ＲＡＭ１４２３と、不揮発性メモリ１４２４と、ＨＤＤ（Hard Disk Drive）１４２５とを備える。
【００３７】
無線処理部１３００が、２つのデュプレクサ１３０１，１３０２と、２つのパワーアンプ１３０３，１３０４と、２つのローノイズアンプ１３０５，１３０６と、２つの送信回路１３０７，１３０８と、２つの受信回路１３０９，１３１０とを備える理由は、２つのコンポーネントキャリアを用いたキャリアアグリゲーションを基地局１００が行なう構成であるからである。
【００３８】
直交変復調部１３１１は、ベースバンド回路１４１０で処理されるＯＦＤＭ（Orthogonal Frequency Division Multiplexing）信号を直交変復調し、アナログ信号（ＲＦ（Radio Frequency）信号）と変換する。送信回路１３０７，１３０８は、直交変復調部１３１１で生成されたＲＦ信号を、電波として送出する周波数に変換する。受信回路１３０９，１３１０は、受信した電波を直交変復調部１３１１で処理する周波数に変換する。
【００３９】
パワーアンプ１３０３，１３０４は、送信回路１３０７，１３０８で生成したＲＦ信号を、アンテナ１１００，１２００から送信するために電力増幅する。ローノイズアンプ１３０５，１３０６は、アンテナ１１００，１２００で受信した微弱電波を増幅し、受信回路１３０９，１３１０に渡す。
【００４０】
制御装置１４２０は、基地局１００全体の制御、および呼制御のプロトコルや制御監視を行なう。タイミング制御部１４３０は、伝送路またはＧＰＳ（Global Positioning System）から抽出した基準クロックを基に、基地局１００内部で使用する各種クロックを生成する。
【００４１】
通信インターフェイス１４４０は、基地局１００をネットワークに繋げるためのインターフェイスである。
【００４２】
ベースバンド回路１４１０は、通信インターフェイス１４４０を用いて授受するパケットと、無線上に乗せるＯＦＤＭ信号（ベースバンド信号）の変換（変復調）を行なう。また、ベースバンド信号は無線処理部１３００との間で授受される。電源部１４５０は、基地局１００に供給される電圧を、基地局１００内部で使用する電圧に変換する。
【００４３】
基地局１００における処理は、各ハードウェアおよびＣＰＵ１４２１により実行されるソフトウェアによって実現される。このようなソフトウェアは、ＨＤＤ１４２５等に予め記憶されている場合がある。また、ソフトウェアは、メモリカード（図示せず）その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタその他の読取装置によりその記憶媒体から読み取られて、あるいは、通信インターフェイス１４４０を介してダウンロードされた後、ＨＤＤ１４２５に一旦格納される。そのソフトウェアは、ＣＰＵ１４２１によってＨＤＤ１４２５から読み出され、さらに不揮発性メモリ１４２４に実行可能なプログラムの形式で格納される。ＣＰＵ１４２１は、そのプログラムを実行する。
【００４４】
同図に示される基地局１００を構成する各構成要素は、一般的なものである。したがって、本発明の本質的な部分は、ＨＤＤ１４２５、不揮発性メモリ１４２４、メモリカードその他の記憶媒体に格納されたソフトウェア、あるいはネットワークを介してダウンロード可能なソフトウェアであるともいえる。なお、基地局１００の各ハードウェアの動作は周知であるので、詳細な説明は繰り返さない。
【００４５】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【００４６】
ここでいうプログラムとは、ＣＰＵにより直接実行可能なプログラムだけでなく、ソースプログラム形式のプログラム、圧縮処理されたプログラム、暗号化されたプログラム等を含む。
【００４７】
なお、基地局１００ａも、基地局１００と同様なハードウェア構成を有するため、基地局１００ａについてのハードウェア構成については説明を繰り返さない。
【００４８】
＜Ｃ．送信データ＞
図３は、基地局１００におけるダウンリンクのコンポーネントキャリアの送信フォーマットを示した図である。図３を参照して、１つ目のコンポーネントキャリア９０１および２つ目のコンポーネントキャリア９０２は、それぞれ、ユニキャストのサブフレーム９５１，９５２，９７１，９７２とＭＢＭＳ用のマルチキャストのサブフレーム９６１，９６２，９８１，９８２とが時分割多重されている。
【００４９】
ユニキャストのサブフレーム９５１，９５２，９７１，９７２では、ユーザ毎にポイント−トゥ−ポイント（Point-to-Point）接続が行なわれる。マルチキャストのサブフレーム９６１，９６２，９８１，９８２では、ポイント−トゥ−マルチポイント（Point-to-Multipoint）型の無線チャネルでマルチメディアサービスが行われる。
【００５０】
コンポーネントキャリア９０２は、ＬＴＥ−Ａ端末のキャリアアグリゲーション専用のコンポーネントキャリアである。また、コンポーネントキャリア９０２は、同期信号を含まない。コンポーネントキャリア９０２は、コンポーネントキャリア９０１に同期している。このため、移動局３００は、コンポーネントキャリア９０１に含まれる同期信号を利用してコンポーネントキャリア９０１と同期すれば、コンポーネントキャリア９０２とも同期できる。つまり、移動局３００は、コンポーネントキャリア９０２においても、基地局１００と同期できる。
【００５１】
基地局１００は、コンポーネントキャリア９０１のマルチキャストのサブフレーム９６１，９８１を用いて、ＭＢＭＳコンテンツにおける必須情報を送信する。また、基地局１００は、コンポーネントキャリア９０２のマルチキャストのサブフレーム９６２，９８２を用いて、ＭＢＭＳコンテンツにおける必須情報に対応した付加情報を送信する。付加情報は、必須情報に付随する情報である。
【００５２】
なお、ストリーミングサーバ装置４００は、基地局１００に配信する情報を、必須情報と付加情報とに分離する。ストリーミングサーバ装置４００は、必須情報と付加情報とを分離した状態で基地局１００に配信する。基地局１００は、当該分離された必須情報と付加情報とを受信する。さらに、基地局１００は、移動局３００に対して必須情報と付加情報と分離した状態で送信する。
【００５３】
必須情報と付加情報とを用いた例として、高解像度の画像送信が挙げられる。移動局３００が、必須情報である画像と付加情報である画像を合成することにより、基地局１００から移動局３００に対して高解像度の画像送信が可能となる。
【００５４】
別の例としては、スポーツの試合中継が挙げられる。この場合、基地局１００は、必須情報として試合中継の画像を移動局３００に送信し、付加情報として出場選手の詳細な情報を移動局へ送信する。移動局３００では、試合中継の画像と、出場選手の詳細な情報とを合成することにより、情報量の多い画像をユーザに提示することができる。
【００５５】
また、キャリアアグリゲーションをサポートしない移動局であっても、必須情報だけを受信することによって、従来のＭＢＭＳを受信可能となる。
【００５６】
＜Ｄ．移動局のハードウェア構成＞
図４は、移動局３００の典型的なハードウェア構成を表した図である。図４を参照して、移動局３００は、アンテナ３００６，３００７，３００８，３００９と、ＲＦ回路３１０１，３１０２と、ベースバンド回路３１０３と、ＧＰＳ受信機３１０４と、プログラムを実行するアプリケーションプロセッサ３１０５と、ＲＯＭ（Read Only Memory）３１０６と、ＲＡＭ（Random Access Memory）３１０７と、ＮＡＮＤ型のフラッシュメモリ３１０８と、ディスプレイ３１０９と、カメラ３１１０と、マイク３１１１と、スピーカ３１１２と、ユーザによる指示の入力を受ける操作キー３１１３と、通信ＩＦ（Interface）３１１４と、ＩＣ（Integrated Circuit）カードリーダライタ３１１５と、電源ユニット３１１６とを備える。
【００５７】
ＧＰＳ受信機３１０４は、アンテナ３１４１と、ＲＦ回路３１４２と、ベースバンド回路３１４３とを含む。ＧＰＳ受信機３１０４は、アンテナ３１４１を用いてＧＰＳ衛星の信号を受信する。さらに、ＧＰＳ受信機３１０４は、ＲＦ回路３１４２およびベースバンド回路３１４３における処理の結果（つまり、現在地情報）を、アプリケーションプロセッサ３１０５に出力する。
【００５８】
アンテナ３００６〜３００９、ＲＦ回路３１０１，３１０２、およびベースバンド回路３１０３は、基地局を介した、他の移動体端末、固定電話、およびＰＣ（Personal Computer）との間における無線通信に用いられる。詳しくは、アンテナ３００６〜３００９、ＲＦ回路３１０１，３１０２、およびベースバンド回路３１０３は、移動局３００が携帯電話網を用いた通信を行なうために用いられる。
【００５９】
フラッシュメモリ３１０８は、不揮発性の半導体メモリである。フラッシュメモリ３１０８は、移動局３００を制御するための各種のプログラム、並びに、移動局３００が生成したデータ、移動局３００の外部装置から取得したデータ等の各種データを揮発的に格納する。
【００６０】
各構成要素３１０３〜３１１６は、相互にデータバスによって接続されている。ＩＣカードリーダライタ３１１５には、メモリカード３１５１が装着される。
【００６１】
移動局３００における処理は、各ハードウェアおよびアプリケーションプロセッサ３１０５により実行されるソフトウェアによって実現される。このようなソフトウェアは、フラッシュメモリ３１０８に予め記憶されている場合がある。また、ソフトウェアは、メモリカード３１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ３１１５その他の読取装置によりその記憶媒体から読み取られて、あるいは、アンテナ３００６〜３００９、ＲＦ回路３１０１，３１０２、およびベースバンド回路３１０３、または通信ＩＦ３１１４を介してダウンロードされた後、フラッシュメモリ３１０８に一旦格納される。そのソフトウェアは、アプリケーションプロセッサ３１０５によってフラッシュメモリ３１０８から読み出され、さらにフラッシュメモリ３１０８に実行可能なプログラムの形式で格納される。アプリケーションプロセッサ３１０５は、そのプログラムを実行する。
【００６２】
同図に示される移動局３００を構成する各構成要素は、一般的なものである。したがって、本発明の本質的な部分は、フラッシュメモリ３１０８、メモリカード３１５１その他の記憶媒体に格納されたソフトウェア、あるいはネットワークを介してダウンロード可能なソフトウェアであるともいえる。なお、移動局３００の各ハードウェアの動作は周知であるので、詳細な説明は繰り返さない。
【００６３】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、コンピュータが読取可能な一時的でない媒体である。
【００６４】
ここでいうプログラムとは、ＣＰＵにより直接実行可能なプログラムだけでなく、ソースプログラム形式のプログラム、圧縮処理されたプログラム、暗号化されたプログラム等を含む。
【００６５】
＜Ｅ．移動局の機能的構成＞
図５は、移動局３００の機能的構成を説明するための機能ブロック図である。図５を参照して、移動局３００は、制御部３１０と、ディスプレイ３２０と、第１通信部３３０と、第２通信部３４０とを備える。制御部３１０は、暗号化解除部３１１と、表示制御部３１２とを含む。第１通信部３３０は、第１送信部３３１と、第１受信部３３２とを含む。第２通信部３４０は、第２送信部３４１と、第２受信部３４２とを含む。
【００６６】
第１通信部３３０は、複数のコンポーネントキャリア９０１，９０２のうちのコンポーネントキャリア９０１を用いた通信を行なう。第１送信部３３１は、コンポーネントキャリア９０１を用いて、データ送信を行なう。第１受信部３３２は、コンポーネントキャリア９０１を用いて、データ受信を行なう。第１通信部３３０を用いることにより基地局１００との間で送受信されるデータの詳細については、後述する。なお、第１通信部３３０は、アンテナを含んでいる。
【００６７】
第２通信部３４０は、複数のコンポーネントキャリア９０１，９０２のうちのコンポーネントキャリア９０２を用いた通信を行なう。第２送信部３４１は、コンポーネントキャリア９０２を用いて、データ送信を行なう。第２受信部３４２は、コンポーネントキャリア９０２を用いて、データ受信を行なう。第２通信部３４０を用いることにより基地局１００との間で送受信されるデータの詳細についても、後述する。なお、第２通信部３４０は、アンテナを含んでいる。
【００６８】
制御部３１０は、移動局３００の各部の動作（処理）を制御する。具体的には、制御部３１０は、データ処理の結果に基づく指令を各部に送る。暗号化解除部３１１は、詳細については後述するが、基地局１００から受信したコンテンツの暗号化を解除する。表示制御部３１２は、ディスプレイ３２０に各種の情報を表示させる。表示制御部３１２は、たとえば、必須情報と付加情報とを用いて、基地局から送られてきたコンテンツをディスプレイ３２０に表示させる。
【００６９】
＜Ｆ．シーケンス＞
図６は、通信システム１におけるシーケンスチャートである。具体的には、図６は、キャリアアグリゲーションをサポートするＬＴＥ−Ａ端末（移動局３００）がＭＢＭＳによって動画を受信する場合における制御方法について説明するための図である。より詳しくは、図６は、移動局３００がＭＢＭＳを受信する際のシーケンスを示した図である。
【００７０】
図６を参照して、ステップＳ２において、移動局３００は、ユーザによる電源スイッチの投入等により起動する。移動局３００は、起動後、コンポーネントキャリア９０１における同期信号を用いて基地局１００と同期する。同期したことに基づき、移動局３００の位置登録が行なわれる。具体的には、ネットワーク５００の機器（図示せず）が、移動局３００がどの基地局のどのコンポーネントキャリアの配下にあるかを登録する。
【００７１】
ステップＳ４において、基地局１００は、コンポーネントキャリア９０１を用いて、ＭＢＭＳ情報を含んだ報知情報を移動局３００に通知する。移動局３００は、コンポーネントキャリア９０１を用いて送信されてきたＭＢＭＳ情報によって、ＭＢＭＳが行なわれていることを検知することができる。さらに、移動局３００は、ＭＢＭＳ情報に基づき、ＭＢＭＳがキャリアアグリゲーション対応の情報であるか否かを判断できる。移動局３００は、ＭＢＭＳがキャリアアグリゲーション対応の情報であれば、ＭＢＭＳ情報において、キャリアアグリゲーションを行なうキャリアコンポーネントの組を表したセット情報も取得できる。
【００７２】
また、ＭＢＭＳ情報には、コンテンツのプログラム情報（番組情報等）を含んでいる。ユーザは、プログラム情報に基づき、ＭＢＭＳを移動局３００で受信するか否かを判断することになる。
【００７３】
なお、上記においては、基地局１００は、報知情報によってＭＢＭＳ情報を移動局３００に通知しているが、報知情報とは異なる別個のシグナリングによってＭＢＭＳ情報を移動局３００に通知してもよい。
【００７４】
また、図６には示していないが、ストリーミングサーバ装置４００は、ネットワーク５００を介してマルチメディアサービス用の動画データを基地局１００に随時配信している。
【００７５】
ステップＳ６において、移動局３００は、コンポーネントキャリア９０１で待ち受け状態となる。ステップＳ８において、移動局３００は、ユーザからのＭＢＭＳの受信要求を受け付ける。移動局３００は、ユーザから受信要求を受け付けると、ステップＳ１０において、コンテンツの暗号化を解除するための解除キーの送信を、基地局１００に要求する。基地局１００は、解除キーの送信の要求を移動局３００より受け付けると、ステップＳ１２において、コンポーネントキャリア９０１を用いて、ストリーミングサーバ装置４００に解除キーの送信を要求する。
【００７６】
ストリーミングサーバ装置４００は、解除キーの送信要求を基地局１００から受け付けたことに基づき、ステップＳ１４において、解除キーを基地局１００に送信するための処理を開始する。ステップＳ１６において、ストリーミングサーバ装置４００は、解除キーを基地局１００に送信する。ステップＳ１８において、基地局１００は、ストリーミングサーバ装置４００から受信した解除キーを、コンポーネントキャリア９０１を用いて移動局３００に送信する。
【００７７】
移動局３００は、基地局１００から解除キーを受信したことに基づき、ステップＳ２０において、ＭＢＭＳの受信を開始する。ステップＳ２２において、移動局３００は、コンポーネントキャリア９０１を用いて、コンテンツの必須情報を含むマルチキャストのサブフレーム（図３参照）を基地局１００から受信する。また、ステップＳ２４において、移動局３００は、コンポーネントキャリア９０２を用いて、上記必須情報に付随する付加情報を含むマルチキャストのサブフレームを基地局１００から受信する。なお、必須情報と付加情報との基地局１００による送信タイミングは、図６においては必須情報の方が付加情報よりも先になっているが、これに限定されるものではない。また、必須情報および付加情報は、同一の暗号キーによって暗号化されている。つまり、コンポーネントキャリア９０１に対応する解除キーと、コンポーネントキャリア９０２に対応する解除キーとは同じである。
【００７８】
ステップＳ２６において、移動局３００は、必須情報および付加情報の暗号化を、予め受信した解除キーを用いて解除する。ステップＳ２８において、移動局３００は、暗号化を解除した必須情報と付加情報とを合成する。ステップＳ３０において、移動局３００は、合成により得られた情報（画像データ）に基づく画像を、ディスプレイ３２０に表示する。
【００７９】
以後、コンポーネントキャリア９０１におけるマルチキャストのサブフレームと、コンポーネントキャリア９０２におけるマルチキャストのサブフレームとの受信と、当該両サブフレームに基づいた動画の表示が移動局３００において繰り返される。これにより、移動局３００は、高解像度の動画の受信が可能となる。
【００８０】
キャリアアグリゲーションをサポートしていない移動局（図示せず）については、上記必須情報を含むコンポーネントキャリア９０１のマルチキャストのサブフレームにおけるリソースブロックのみを受信することにより、従来どおりＭＢＭＳの受信が可能となる。
【００８１】
＜Ｇ．移動局のまとめ＞
（１）以上のように、移動局３００は、互いに周波数帯域が異なる複数のコンポーネントキャリアを用いたキャリアアグリゲーションによって、基地局１００と通信する。移動局３００は、複数のコンポーネントキャリアのうち少なくとも２つのコンポーネントキャリア９０１，９０２を用いて、基地局１００からＭＢＭＳにおけるコンテンツを受信する受信部（図５における第１受信部３３２および第２受信部３４２に対応する構成）と、受信されたコンテンツをディスプレイ３２０に表示させる表示制御部３１２とを備える。したがって、移動局３００は、キャリアアグリゲーション中もＭＢＭＳを適用可能となる。つまり、移動局３００は、キャリアアグリゲーション中であっても、ＭＢＭＳを利用可能となる。
【００８２】
（２）また、コンテンツは、必須情報と、当該必須情報に付随する付加情報とを含む。上記受信部は、必須情報を、複数のコンポーネントキャリアのうちのコンポーネントキャリア９０１を用いて受信する第１受信部３３２と、付加情報を、複数のコンポーネントキャリアのうちのコンポーネントキャリア９０２を用いて受信する第２受信部３４２とを含む。表示制御部３１２は、必須情報と付加情報とを用いて、コンテンツをディスプレイ３２０に表示させる。したがって、移動局３００は、異なるコンポーネントキャリアを用いて受信した互いに関連する情報に基づいた詳細な情報を表示可能となる。
【００８３】
（３）コンポーネントキャリア９０２は、コンポーネントキャリア９０１に同期している。第１受信部３３２は、コンポーネントキャリア９０１において、基地局１００からの同期信号をさらに受信する。移動局３００は、当該同期信号に基づいて、コンポーネントキャリア９０１およびコンポーネントキャリア９０２と同期する。
【００８４】
したがって、コンポーネントキャリア９０２に同期信号が含まれていなくても、移動局３００は、コンポーネントキャリア９０１およびコンポーネントキャリア９０２と同期することができる。それゆえ、移動局３００は、必須情報と付加情報とを受信することができる。
【００８５】
（４）コンテンツは、暗号化されている。移動局３００は、コンテンツの送信を要求する要求信号を、基地局に送信する送信部（図５における第１送信部３３１および第２送信部３４１に対応する構成）と、コンテンツの暗号化を解除する暗号化解除部３１１とをさらに備える。第１受信部３３２は、当該要求信号の送信に基づいて基地局１００から送信される解除キーをさらに受信する。暗号化解除部３１１は、当該解除キーを用いてコンテンツの暗号化を解除する。したがって、移動局３００は、コンテンツが暗号化されている場合であっても、コンテンツの暗号化を解除可能となる。
【００８６】
＜Ｈ．基地局のまとめ＞
（１）以上のように、基地局１００は、互いに周波数帯域が異なる複数のコンポーネントキャリアを用いたキャリアアグリゲーションによって、移動局３００と通信する。基地局１００は、移動局３００から、マルチメディア放送および同報サービスにおけるコンテンツの受信要求を受信する。また、基地局１００は、上記コンテンツを、複数のコンポーネントキャリアのうち少なくとも２つのコンポーネントキャリア９０１，９０２を用いて、移動局３００に送信する。したがって、基地局１００は、キャリアアグリゲーション中にもＭＢＭＳを適用可能となる。つまり、基地局１００は、キャリアアグリゲーション中であても、移動局３００にＭＢＭＳを利用させることが可能となる。
【００８７】
（２）コンテンツは、必須情報と、必須情報に付随する付加情報とを含む。基地局１００は、必須情報を、複数のコンポーネントキャリアのうちのコンポーネントキャリア９０１を用いて送信する。また、基地局１００は、付加情報を、複数のコンポーネントキャリアのうちのコンポーネントキャリア９０２を用いて送信する。
【００８８】
したがって、基地局１００は、ＭＢＭＳでキャリアアグリゲーションを行なう場合であっても、キャリアアグリゲーションに対応していない移動局との互換性を確保することができる。すなわち、基地局１００は、キャリアアグリゲーションに対応している移動局（たとえば、移動局３００）とキャリアアグリゲーションに対応していない移動局とが在圏している場合であっても、当該対応していない移動局がコンポーネントキャリア９０１を用いて必須情報のみを受信することにより、当該移動局においてもＭＢＭＳの画像を表示可能となる。
【００８９】
＜Ｉ．変形例＞
（１）上記においては、ＭＢＭＳの受信開始前に一回だけ解除キーを基地局１００から受信する構成の移動局３００を例に挙げて説明したが、これに限定されるものではない。たとえば、解除キーを定期的に変更するようにストリーミングサーバ装置４００を構成してもよい。この場合には、基地局１００を介してストリーミングサーバ装置４００から定期的に解除キーを受信するように、移動局３００を構成すればよい。
【００９０】
（２）また、上記においては、コンポーネントキャリア９０１に対応する解除キーと、コンポーネントキャリア９０２に対応する解除キーとは同じにしたが、これに限定されるものではない。コンポーネントキャリア９０１に対応する解除キー（以下、「第１の解除キー」とも称する）と、コンポーネントキャリア９０２に対応する解除キー（以下、「第２の解除キー」とも称する）とを別個に設定してもよい。
【００９１】
この場合、第１受信部３３２（図５参照）が、コンポーネントキャリア９０１を用いて第１の解除キーを受信する。第２受信部３４２は、コンポーネントキャリア９０２を用いて第２の解除キーを受信する。暗号化解除部３１１は、第１の解除キーを用いて必須情報の暗号化を解除し、第２の解除キーを用いて付加情報の暗号化を解除する。
【００９２】
（３）また、上記においては、ストリーミングサーバ装置４００は、コンテンツの必須情報および付加情報を暗号化した状態で、基地局１００を介して移動局３００に送信する構成を例に挙げたが、これに限定されるものではない。ストリーミングサーバ装置４００は、必須情報および付加情報を暗号化しない状態で、基地局１００を介して移動局３００に送信してもよい。あるいは、ストリーミングサーバ装置４００は、必須情報および付加情報のいずれかのみを暗号化した状態で、基地局１００を介して移動局３００に送信してもよい。
【００９３】
（４）また、上記においては、基地局１００が１つのコンポーネントキャリア９０２を用いて付加情報を移動局３００に送信する構成を例に挙げて説明したが、これに限定されるものではない。基地局１００と移動局３００とは、利用可能なコンポーネントキャリアが３つ以上ある場合、当該３つ以上のコンポーネントキャリアうち、コンポーネントキャリア９０１を除く２以上のコンポーネントキャリア（コンポーネントキャリア９０２を含む）を用いて、付加情報の送受信を行なってもよい。
【００９４】
つまり、基地局１００は、コンポーネントキャリア９０２と、複数のコンポーネントキャリアのうちの、コンポーネントキャリア９０１およびコンポーネントキャリア９０２を除く少なくとも１つのコンポーネントキャリアとを用いて、付加情報を移動局３００に送信してもよい。一方、移動局３００は、コンポーネントキャリア９０２と、複数のコンポーネントキャリアのうちの、コンポーネントキャリア９０１およびコンポーネントキャリア９０２を除く上記少なくとも１つのコンポーネントキャリアとを用いて、付加情報を基地局１００から受信してもよい。
【００９５】
（５）また、上記においては、マルチメディアサービス用のデータを必須情報と付加情報とに分けて各コンポーネントキャリア９０１，９０２から送信する構成を説明したが、キャリアアグリゲーションをサポートしない移動局との互換性を必要としない場合には、マルチメディアサービス用のデータを必須情報と付加情報とに分けて送信する必要はない。
【００９６】
［実施の形態２］
実施の形態１では、コンポーネントキャリア９０２が、同期信号を含まないＬＴＥ−Ａ端末のキャリアアグリゲーション専用のコンポーネントキャリアである場合を説明した。本実施の形態では、コンポーネントキャリア９０２が、コンポーネントキャリア９０１と同様に同期信号を含むＬＴＥ端末も受信可能なコンポーネントキャリアである場合について説明する。
【００９７】
図７は、通信システム１におけるシーケンスチャートである。具体的には、図７は、キャリアアグリゲーションをサポートするＬＴＥ−Ａ端末（移動局３００）がＭＢＭＳによって動画を受信する場合における制御方法について説明するための図である。より詳しくは、図７は、移動局３００がＭＢＭＳを受信する際のシーケンスを示した図である。
【００９８】
なお、以下では、実施の形態１と同様に、移動局３００は、コンポーネントキャリア９０１を用いて必須情報を受信し、コンポーネントキャリア９０２を用いて付加情報を受信するものとする。また、必須情報を送信するためのコンポーネントキャリアを「メインのコンポーネントキャリア」とも称し、付加情報を送信するためのコンポーネントキャリアを「サブのコンポーネントキャリア」とも称する。
【００９９】
図７を参照して、ステップＳ１０２において、移動局３００は、ユーザによる電源スイッチの投入等により起動する。移動局３００は、起動後、コンポーネントキャリア９０１における同期信号を用いた基地局１００との同期、およびコンポーネントキャリア９０２における同期信号を用いた基地局１００との同期のいずれかを試みる。
【０１００】
なお、コンポーネントキャリア９０１およびコンポーネントキャリア９０２が同期信号を含むため、移動局３００の位置登録は、どちらのコンポーネントキャリアであっても可能である。以下では、移動局３００が、コンポーネントキャリア９０２に位置登録された場合について説明する。つまり、ネットワーク５００の機器（図示せず）が、移動局３００が基地局１００のコンポーネントキャリア９０２の配下にある場合を説明する。
【０１０１】
ステップＳ１０４において、基地局１００は、コンポーネントキャリア９０２を用いて、ＭＢＭＳ情報を含んだ報知情報を移動局３００に通知する。また、ステップＳ１０６において、基地局１００は、コンポーネントキャリア９０１を用いて、ＭＢＭＳ情報を含んだ報知情報を移動局３００に通知する。なお、移動局３００は、位置登録の過程において報知情報を受信する。
【０１０２】
本実施の形態では、移動局３００は、コンポーネントキャリア９０２を用いて送信されてきたＭＢＭＳ情報によって、ＭＢＭＳが行なわれていることを検知する。また、ＭＢＭＳ情報は、メインのコンポーネントキャリアとサブのコンポーネントキャリアとを示す情報を含んでいる。移動局３００は、ＭＢＭＳ情報を受信することにより、メインのコンポーネントキャリアがコンポーネントキャリア９０１であることを認識する。
【０１０３】
仮にコンポーネントキャリア９０２ではなくコンポーネントキャリア９０１に移動局３００が位置登録した場合には、移動局３００は、コンポーネントキャリア９０１によって通知される報知情報によって、ＭＢＭＳ情報を取得することになる。
【０１０４】
なお、上記においては、基地局１００は、報知情報によってＭＢＭＳ情報を移動局３００に通知しているが、報知情報とは異なる別個のシグナリングによってＭＢＭＳ情報を移動局３００に通知してもよい。
【０１０５】
また、実施の形態１でも述べたように、移動局３００は、ＭＢＭＳ情報に基づき、ＭＢＭＳがキャリアアグリゲーション対応の情報であるか否かを判断できる。さらに、ＭＢＭＳ情報には、コンテンツのプログラム情報（番組情報等）を含んでいる。ユーザは、プログラム情報に基づき、ＭＢＭＳを移動局３００で受信するか否かを判断することになる。
【０１０６】
また、図７には示していないが、ストリーミングサーバ装置４００は、ネットワーク５００を介してマルチメディアサービス用の動画データを基地局１００に随時配信している。
【０１０７】
ステップＳ１０８において、移動局３００は、コンポーネントキャリア９０２で待ち受け状態となる。ステップＳ１１０において、移動局３００は、ユーザからのＭＢＭＳの受信要求を受け付ける。移動局３００は、ＭＢＭＳの受信要求を受け付けると、メインのコンポーネントキャリアであるコンポーネントキャリア９０１における同期信号を用いて、基地局１００と同期し、ステップＳ１１２において、コンポーネントキャリア９０１を用いたデータ受信を開始する。当該同期により、移動局３００は、コンポーネントキャリア９０１とコンポーネントキャリア９０２と同期した状態となる。
【０１０８】
ステップＳ１１４において、移動局３００は、コンテンツの暗号化を解除するための解除キーの送信を、メインのコンポーネントキャリア（つまり、コンポーネントキャリア９０１）を用いて基地局１００に要求する。なお、ステップＳ１１２以降は、コンポーネントキャリア９０１で待受状態になってもかまわない。
【０１０９】
基地局１００は、解除キーの送信の要求を移動局３００より受け付けると、ステップＳ１１６において、ストリーミングサーバ装置４００に解除キーの送信を要求する。
【０１１０】
ストリーミングサーバ装置４００は、解除キーの送信要求を基地局１００から受け付けたことに基づき、ステップＳ１１８において、解除キーを基地局１００に送信するための処理を開始する。ステップＳ１２０において、ストリーミングサーバ装置４００は、解除キーを基地局１００に送信する。ステップＳ１２２において、基地局１００は、ストリーミングサーバ装置４００から受信した解除キーを、コンポーネントキャリア９０１を用いて移動局３００に送信する。
【０１１１】
移動局３００は、基地局１００から解除キーを受信したことに基づき、ステップＳ１２４においてＭＢＭＳの受信を開始する。ステップＳ１２６において、移動局３００は、コンポーネントキャリア９０１を用いて、コンテンツの必須情報を含むマルチキャストのサブフレームを基地局１００から受信する。また、ステップＳ１２８において、移動局３００は、コンポーネントキャリア９０２を用いて、上記必須情報に付随する付加情報を含むマルチキャストのサブフレームを基地局１００から受信する。なお、必須情報と付加情報との基地局１００による送信タイミングは、図７においては必須情報の方が付加情報よりも先になっているが、これに限定されるものではない。また、必須情報および付加情報は、同一の暗号キーによって暗号化されている。つまり、コンポーネントキャリア９０１に対応する解除キーと、コンポーネントキャリア９０２に対応する解除キーとは同じである。
【０１１２】
ステップＳ１３０において、移動局３００は、必須情報および付加情報の暗号化を、予め受信した解除キーを用いて解除する。ステップＳ１３２において、移動局３００は、暗号化を解除した必須情報と付加情報とを合成する。ステップＳ１３４において、移動局３００は、合成により得られた情報（画像データ）に基づく画像を、ディスプレイ３２０に表示する。
【０１１３】
以後、コンポーネントキャリア９０１におけるマルチキャストのサブフレームと、コンポーネントキャリア９０２におけるマルチキャストのサブフレームとの受信と、当該両サブフレームに基づいた動画の表示が移動局３００において繰り返される。これにより、移動局３００は、高解像度の動画の受信が可能となる。
【０１１４】
以上においては、ＬＴＥ−Ａ端末である移動局３００の動作を述べたが、報知情報によりコンポーネントキャリア９０１およびコンポーネントキャリア９０２にてＭＢＭＳ情報が通知されているため、ＬＴＥ端末についても、ほぼ同様の動作で必須情報のみの受信が可能である。たとえば、ＬＴＥ端末は、コンポーネントキャリア９０２で待ち受けている場合には、ＭＢＭＳ情報を取得するとメインのコンポーネントキャリアがコンポーネントキャリア９０１であることが判断できる。このため、ＬＴＥ端末は、受信するコンポーネントキャリアをコンポーネントキャリア９０１に切り替えた後にＭＢＭＳ受信を行なうことになる。
【０１１５】
また、本実施の形態においても、実施の形態１の「＜Ｉ．変形例＞の（１）〜（５）」において述べた各種の変形例を適用可能である。
【０１１６】
以上のように、本実施の形態では、第１受信部３３２は、コンポーネントキャリア９０１において、基地局１００からの同期信号（以下、「第１の同期信号」と称する）をさらに受信する。第２受信部３４２は、コンポーネントキャリア９０２において、基地局１００からの同期信号（以下、「第２の同期信号」と称する）をさらに受信する。移動局３００は、第１の同期信号に基づいてコンポーネントキャリア９０１と同期し、第２の同期信号に基づいてコンポーネントキャリア９０２と同期する。したがって、移動局３００は、２つのコンポーネントキャリアについて基地局１００と同期することができる。
【０１１７】
［実施の形態３］
実施の形態１では、ＭＢＭＳが１つの場合について説明した。本実施の形態では、複数のＭＢＭＳ（つまり、複数のＭＢＭＳチャネル）が存在する場合について説明する。その他のシステム構成、コンポーネントキャリアの構成については、実施の形態１と同じである。
【０１１８】
図８は、通信システム１におけるシーケンスチャートである。具体的には、図８は、図６と同様、キャリアアグリゲーションをサポートするＬＴＥ−Ａ端末（移動局３００）がＭＢＭＳによって動画を受信する場合における制御方法について説明するための図である。より詳しくは、図８は、移動局３００がＭＢＭＳを受信する際のシーケンスを示した図である。以下では、図８において、図６と相違する点を説明する。
【０１１９】
移動局３００は、コンポーネントキャリア９０１に位置登録する過程において、コンポーネントキャリア９０１の報知情報によって通知されているＭＢＭＳのサービスチャネル情報と、当該サービスチャネルにおけるメインのコンポーネントキャリアおよびサブのコンポーネントキャリアの情報を含むＭＢＭＳ情報とを、基地局１００から受信する。移動局３００は、報知情報に含まれる上記サービスチャネル情報および上記ＭＢＭＳ情報とを受信することによって、移動局３００のユーザは、どのようなＭＢＭＳのサービス行われているのかを認識することができる。
【０１２０】
なお、上記においては、基地局１００は、報知情報によってＭＢＭＳ情報を移動局３００に通知しているが、報知情報とは異なる別個のシグナリングによってＭＢＭＳ情報を移動局３００に通知してもよい。
【０１２１】
移動局３００は、ＭＢＭＳ情報を受信した後に、ステップＳ６において、コンポーネントキャリア９０１で待受状態に入る。移動局３００が、ステップＳ８においてユーザからのＭＢＭＳの受信要求を受け付けると、移動局３００は、ステップＳ４０において、既に取得しているＭＢＭＳのサービス情報の中からユーザが受信したいサービス情報を選択するためのユーザ操作を受け付ける。
【０１２２】
ステップＳ１０において、移動局３００は、ユーザによって選択されたサービス情報に対する解除キーの送信を要求する要求信号を、基地局１００に送信する。なお、この場合、基地局１００は、当該要求信号をストリーミングサーバ装置４００に送信する。以降の処理は、実施の形態１の処理と同じである。
【０１２３】
コンテンツの送信要求に関して具体的に説明すると、以下のとおりである。移動局３００の第１受信部３３２は、複数のＭＢＭＳの各々におけるコンテンツを互いに識別するための複数の識別情報を、基地局１００から受信する。なお、当該識別情報は、報知情報に含まれている。移動局３００は、複数の識別情報のいずれかを選択する指令を受け付けたことに基づき、当該選択された識別情報に対応するコンテンツの送信を基地局１００に要求する。
【０１２４】
なお、実施の形態２で説明したように、コンポーネントキャリア９０２が、コンポーネントキャリア９０１と同様に同期信号を含む、ＬＴＥ端末も受信可能なコンポーネントキャリアの場合については、基地局１００は以下の処理を行なえばよい。すなわち、基地局１００は、ＭＢＭＳ情報を移動局３００に通知するステップＳ４において、各サービスに対するメインのコンポーネントキャリアとサブのコンポーネントキャリアとの情報を合わせて通知すればよい。もちろん、基地局１００は、コンポーネントキャリア９０２についても同様の通知を行なう。このような例では、サービスチャネルによっては、コンポーネントキャリア９０１がメインのコンポーネントキャリアであったり、あるいはコンポーネントキャリア９０２がメインのコンポーネントキャリアであったりする。
【０１２５】
また、本実施の形態においても、実施の形態１の「＜Ｉ．変形例＞の（１）〜（５）」において述べた各種の変形例を適用可能である。
【０１２６】
以上のように、本実施の形態では、第１受信部３３２は、複数のＭＢＭＳの各々におけるコンテンツを互いに識別するための複数の識別情報をさらに受信する。移動局３００は、複数の識別情報のいずれかを選択する指令を受け付けたことに基づき、当該選択された識別情報に対応するコンテンツの送信を基地局１００に要求する。したがって、複数のＭＢＭＳ（つまり、複数のＭＢＭＳチャネル）が存在する場合であっても、移動局３００は、ユーザの指示に応じたＭＢＭＳを受信可能となる。
【０１２７】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１２８】
１  通信システム、１００，１００ａ  基地局、３００  移動局、３１０  制御部、３１１  暗号化解除部、３１２  表示制御部、３２０，３１０９  ディスプレイ、３３０  第１通信部、３３１  第１送信部、３３２  第１受信部、３４０  第２通信部、３４１  第２送信部、３４２  第２受信部、４００  ストリーミングサーバ装置、５００  ネットワーク、９０１，９０２  コンポーネントキャリア、９１０，９１０ａ，９２０，９２０ａ  セル、９５１，９５２，９６１，９６２，９７１，９７２，９８１，９８２  サブフレーム、１１００，１２００，３００６，３００７，３００８，３００９，３１４１  アンテナ、１３００  無線処理部、１３０１，１３０２  デュプレクサ、１３０３，１３０４  パワーアンプ、１３０５，１３０６  ローノイズアンプ、１３０７，１３０８  送信回路、１３０９，１３１０  受信回路、１３１１  直交変復調部、１４００  ベースバンド部、１４１０，３１０３，３１４３  ベースバンド回路、１４２０  制御装置、１４２１  ＣＰＵ、１４２２  ＲＯＭ、１４２３  ＲＡＭ、１４２４  不揮発性メモリ、１４３０  タイミング制御部、１４４０  通信インターフェイス、１４５０  電源部、３１０１，３１０２，３１４２  回路、３１０５  アプリケーションプロセッサ、３１０８  フラッシュメモリ、３１１３  操作キー、３１１５  カードリーダライタ、３１１６  電源ユニット、３１５１  メモリカード、３１１４  通信ＩＦ。
【図１】
0005878322.tif 000002
【図２】
0005878322.tif 000003
【図３】
0005878322.tif 000004
【図４】
0005878322.tif 000005
【図５】
0005878322.tif 000006
【図６】
0005878322.tif 000007
【図７】
0005878322.tif 000008
【図８】
0005878322.tif 000009